(57)【要約】【課題】簡易な構成であって接合作業を容易、迅速且つ低コストにて行うことができ、しかも十分な接合強度が得られる杭頭部接合構造を提供することを課題とする。【解決手段】杭接合部に杭の頭部を接合するための杭頭部接合構造であって、前記杭１にはその上端面に、くびれ部３を有する挿入部２が突設され、前記杭接合部４には、前記挿入部２を挿入するための挿入孔５が形成され、前記挿入孔５の中間部に抉り部６が設けられると共に、前記抉り部６から外側面に抜ける接合剤を注入するための注入路７が貫設されて成る。【選択図】図１
2006138202.tif 000002
【特許請求の範囲】
【請求項１】
杭接合部に杭の頭部を接合するための杭頭部接合構造であって、前記杭にはその上端面に、くびれ部を有する挿入部が突設され、前記杭接合部には、前記挿入部を挿入するための挿入孔が形成され、前記挿入孔の中間部に抉り部が設けられると共に、前記抉り部から外側面に抜ける接合剤を注入するための注入路が貫設されて成ることを特徴とする杭頭部接合構造。
【発明の詳細な説明】
【技術分野】
【０００１】
本発明は、杭頭部の接合構造、より詳細には、コンクリート等の杭の頭部を、消波体のような設備や梁等に接合するための、杭頭部とこれを接合する杭接合部との間の接合構造に関するものである。
【背景技術】
【０００２】
従来、杭の頭部を他の杭や梁設備等に接合するための方法としては、杭の頭面と接合部の接合面とを合わせ、溶接したり、ボルト止めする方法が一般的である。
【０００３】
【特許文献１】特開２００５−２３２９０８号公報
【特許文献２】特開２００５−１１３４６３号公報
【特許文献３】特開２００４−１８３２６６号公報
【特許文献４】特開２００３−５５９８５号公報
【特許文献５】特開２００３−２７４９９号公報
【特許文献６】特開平１０−３３８９３２号公報
【特許文献７】特開平９−２５６３７号公報
【特許文献８】特開平５−２８７７６３号公報
【発明の開示】
【発明が解決しようとする課題】
【０００４】
上記従来の杭接合方法によるものは、接合部が複雑な構成となり、その接合作業に手間とコストがかかるという問題があった。
【０００５】
本発明は、従来方法におけるかかる問題点を解消するためになされたものであって、簡易な構成であって接合作業を容易、迅速且つ低コストにて行うことができ、しかも十分な接合強度が得られる杭頭部接合構造を提供することを課題とする。
【課題を解決するための手段】
【０００６】
上記課題を解決するための請求項１に記載の発明は、杭接合部に杭の頭部を接合するための杭頭部接合構造であって、前記杭にはその上端面に、くびれ部を有する挿入部が突設され、前記杭接合部には、前記挿入部を挿入するための挿入孔が形成され、前記挿入孔の中間部に抉り部が設けられると共に、前記抉り部から外側面に抜ける接合剤を注入するための注入路が貫設されて成ることを特徴とする杭頭部接合構造である。
【発明の効果】
【０００７】
本発明は上記のとおりであって、杭接合部の挿入孔内に杭の挿入部を嵌装後、注入路から接合剤を注入するだけで、杭を杭接合部に確固と固定することができるので、接合作業を容易、迅速且つ低コストにて行うことができ、しかも十分な接合強度が得られる効果がある。
【発明を実施するための最良の形態】
【０００８】
本発明を実施するための最良の形態について、添付図面に依拠して説明する。本発明は杭１を杭接合部４に接合するための構造に関するものであって、杭１の方には、その上端面に挿入部２が突設される。挿入部２の中間には、くびれ部３が周設される。
【０００９】
杭接合部４は、消波体や梁等に一体に設けられる部分であって、そこには、挿入部２を嵌装するための挿入孔５が形成される。挿入孔５の内周面の中間部には、抉り部６が周設される。この抉り部６は、挿入孔５内に挿入部２を嵌装した際、くびれ部３に対向する。
【００１０】
７は、抉り部６から杭接合部４の外側面に抜ける注入路であり、そこから、樹脂モルタル等の接合剤８が注入される。
【００１１】
杭１の接合に当っては、その挿入部２を挿入孔５内に挿入した後、注入路７から樹脂モルタル等の接合剤８を注入する。接合剤８は、抉り部１０とくびれ部８ａとで形成される断面ダイヤ形の環状溝を充填し、固化する。かくして、杭１が杭接合部４から抜けることなく、確固と固定される。
【００１２】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【図面の簡単な説明】
【００１３】
【図１】本発明に係る杭頭部接合構造の一実施例を示す図である。
【図２】本発明に係る杭頭部接合構造による接合状態を示す図である。
【符号の説明】
【００１４】
１    杭
２    挿入部
３    くびれ部
４    杭接合部
５    挿入孔
６    抉り部
７    注入路
８    接合剤
【図１】
2006138202.tif 000003
【図２】
2006138202.tif 000004
【手続補正書】
【提出日】平成18年1月12日(2006.1.12)
【手続補正１】
【補正対象書類名】特許請求の範囲
【補正対象項目名】全文
【補正方法】変更
【補正の内容】
【特許請求の範囲】
【請求項１】
杭接合部に杭の頭部を接合するための杭頭部接合構造であって、前記杭にはその上端面に、くびれ部を有する挿入部が突設され、前記杭接合部には、前記挿入部を挿入するための挿入孔が形成され、前記挿入孔の中間部に抉り部が設けられると共に、前記抉り部から外側面に抜ける接合剤を注入するための注入路が貫設されて成ることを特徴とする杭頭部接合構造。
【請求項２】
杭接合部に杭の頭部を接合するための杭頭部接合方法であって、前記杭の上端面に、くびれ部を有する挿入部を突設し、前記杭接合部に、前記挿入部を挿入するための挿入孔を形成し、前記挿入孔の中間部に抉り部を設けると共に、前記抉り部から外側面に抜ける接合剤を注入するための注入路を貫設し、前記挿入部を前記挿入孔内に嵌装した後、前記注入路から接合剤を注入し、前記くびれ部と前記抉り部とによって形成される環状溝に充填することにより、前記杭頭部を前記杭接合部に固定することを特徴とする杭頭部接合方法。
【手続補正３】
【補正対象書類名】明細書
【補正対象項目名】０００１
【補正方法】変更
【補正の内容】
【０００１】
本発明は、杭頭部の接合構造及び接合方法、より詳細には、コンクリート等の杭の頭部を、消波体のような設備や梁等に接合するための、杭頭部とこれを接合する杭接合部との間の接合構造及び接合方法に関するものである。
【手続補正４】
【補正対象書類名】明細書
【補正対象項目名】０００５
【補正方法】変更
【補正の内容】
【０００５】
本発明は、従来方法におけるかかる問題点を解消するためになされたものであって、簡易な構成であって接合作業を容易、迅速且つ低コストにて行うことができ、しかも十分な接合強度が得られる杭頭部接合構造及び接合方法を提供することを課題とする。
【手続補正５】
【補正対象書類名】明細書
【補正対象項目名】０００６
【補正方法】変更
【補正の内容】
【０００６】
上記課題を解決するための請求項１に記載の発明は、杭接合部に杭の頭部を接合するための杭頭部接合構造であって、前記杭にはその上端面に、くびれ部を有する挿入部が突設され、前記杭接合部には、前記挿入部を挿入するための挿入孔が形成され、前記挿入孔の中間部に抉り部が設けられると共に、前記抉り部から外側面に抜ける接合剤を注入するための注入路が貫設されて成ることを特徴とする杭頭部接合構造であり、請求項２に記載の発明は、杭接合部に杭の頭部を接合するための杭頭部接合方法であって、前記杭の上端面に、くびれ部を有する挿入部を突設し、前記杭接合部に、前記挿入部を挿入するための挿入孔を形成し、前記挿入孔の中間部に抉り部を設けると共に、前記抉り部から外側面に抜ける接合剤を注入するための注入路を貫設し、前記挿入部を前記挿入孔内に嵌装した後、前記注入路から接合剤を注入し、前記くびれ部と前記抉り部とによって形成される環状溝に充填することにより、前記杭頭部を前記杭接合部に固定することを特徴とする杭頭部接合方法である。